(57)【特許請求の範囲】
【請求項１】
内部に電極パターンで伝送線路やコンデンサを形成した積層体の主面に搭載部品を実装するとともに、前記搭載部品を覆う金属ケースを配置して、フィルタ回路やスイッチ回路を構成した高周波スイッチモジュールであって、
前記積層体は側面電極を備えず、前記積層体の主面には、グランド端子と、搭載部品が実装されるランドが設けられるとともに、前記金属ケースが前記主面上に搭載されて前記グランド端子と接続し、
前記金属ケースは、天板と前記天板から積層体の主面側に突き出た突出部と、近接する搭載部品との短絡を防ぐ開口部を備え、前記突出部を前記グランド端子とはんだ接続したことを特徴とする高周波スイッチモジュール。
【請求項２】
前記金属ケースの開口部側に設けられたランドは、突出部側のランドと比べて、積層体側面の近傍にまで形成されていることを特徴とする請求項１に記載の高周波スイッチモジュール。
【請求項３】
積層体の内部電極パターンと、主面に実装されたチップ素子と、前記積層体の底面に設けられた端子電極とは、全て積層体に形成されたスルーホールを介して接続することを特徴とする請求項１または２に記載の高周波スイッチモジュール。
【請求項４】
前記積層体の底面側の内層には、そのほぼ全面にグランド電極が形成されており、スルーホールを介して前記金属ケースと接続することを特徴とする請求項１乃至３のいずれかに記載の高周波スイッチモジュール。
【発明の詳細な説明】
【０００１】
【産業上の利用分野】
本発明は、通過帯域の異なる複数の送受信系を取り扱うマルチバンド用高周波スイッチモジュールに関し、特に積層体上に搭載されたチップ素子や高周波機能部品を包囲する金属ケースの構造に関するものである。
【０００２】
【従来の技術】
近年の携帯電話の普及には、目を見張るものがあり、携帯電話の機能、サービスの向上が図られている。この新たな携帯電話として、デュアルバンドあるいはトリプルバンド携帯電話の提案がなされている。これらの携帯電話は、２つあるいは３つの送受信系を取り扱うもので、それぞれ周波数に応じた信号経路、及び複数の周波数を切り換えるためのスイッチとして、分波回路とスイッチ回路を用いて構成される高周波スイッチモジュールが用いられている。
【０００３】
例えば、特開平１１−２２５０８８号公報に開示された高周波スイッチモジュールは、小型化を図るために分波回路、ローパスフィルタ回路及びスイッチ回路の伝送線路を誘電体層内に構成し、一体燒結した積層体（以下、単に積層体と言う。）となし、ダイオード、チップコンデンサ等のチップ素子を前記積層体上に搭載したワンチップ化構造のものである。また、面実装が可能なように各端子電極やグランド端子は、図７に示すように積層体８０の各側面に形成され、さらに上面まで延出してランド８１、８２…が設けられている。そして、チップ素子等の搭載部品を包囲して主に電磁波シールドの働きをなす金属ケース９０は、積層体上面のグランド端子のランド８２に半田付けで固定されていた。
【０００４】
【発明が解決しようとする課題】
このような高周波モジュールにおいては、さらなる機能の集積化が進められており、例えば、従来、上記高周波モジュールの後段に配置されていたバンドパスフィルタ回路をワンチップの積層体に集約することが提案されている。このバンドパスフィルタ回路として現状では、専らパッケージ化された弾性表面波素子（ＳＡＷ）が用いられており、具体的には２個ないし３個のＳＡＷフィルタを積層体上面に搭載することになる。しかしこの場合でも積層体の面積（搭載有効面積）は、従来と同等であることが望まれるので、チップ素子は極めて厳しい配置構成を余儀なくされる。例えば、図７に示したモジュールでは積層体の上面のランドに金属ケースを固定する構造としていたが、このような構造であるとランドとチップ素子との距離が近づき過ぎてしまい半田ブリッジによる短絡の恐れもあるし、電磁界的な干渉が生じて高周波特性が劣化すると言う問題が生じる。このような問題は更なる小型化が望まれる将来において顕著になると考えられる。
【０００５】
また、従来のグランド端子のランドは各送受信系の端子を挟む形で間隔をおいて設けられていた。従って、金属ケース先端８３、８４、８５、８６…を断続的に接触させて半田付けしていたので、金属ケースの位置が多少ズレることがあった。また接触面積が十分とれずアース電流の経路が不安定になったり、電磁界の分布が変化して高周波特性が変化することがある。特に、マイクロ波やミリ波帯等の高周波帯域においてはその影響が顕著となる。
また、パッケージ型ＳＡＷフィルタを搭載すると低背化を阻害するし、もともとＳＡＷフィルタは外力や温度変化に対して繊細であることから、パッケージの廻りには空間を保っていることが望ましい。
【０００６】
以上のことより本発明は、チップ素子やＳＡＷフィルタを搭載した高周波モジュールにおいて、積層体の搭載有効面積を最大限利用して尚かつ低背化をはかり、このとき、チップ素子と端子間の干渉を低減し、また、ＳＡＷフィルタを外的に保護しアースを確実にとるようになした高周波スイッチモジュールを提供することを目的とする。
【０００７】
【課題を解決するための手段】
本発明は、内部に電極パターンで伝送線路やコンデンサを形成した積層体の主面に搭載部品を実装するとともに、前記搭載部品を覆う金属ケースを配置して、フィルタ回路やスイッチ回路を構成した高周波スイッチモジュールであって、前記積層体は側面電極を備えず、前記積層体の主面には、グランド端子と、搭載部品が実装されるランドが設けられるとともに、前記金属ケースが前記主面上に搭載されて前記グランド端子と接続し、前記金属ケースは、天板と前記天板から積層体の主面側に突き出た突出部と、近接する搭載部品との短絡を防ぐ開口部を備え、前記突出部を前記グランド端子とはんだ接続したことを特徴とする。
本発明においては、前記金属ケースの開口部側に設けられたランドを、突出部側のランドと比べて、積層体側面の近傍にまで形成するのが好ましい。また、積層体の内部電極パターンと、主面に実装されたチップ素子と、前記積層体の底面に設けられた端子電極とは、全て積層体に形成されたスルーホールを介して接続されるのが好ましい。
前記積層体の底面側の内層には、そのほぼ全面にグランド電極が形成されており、スルーホールを介して前記金属ケースと接続する。
【０００８】
以上により、グランド端子以外の端子は積層体上面に設けていないのでチップ素子等との干渉の問題がなく高周波特性が安定する。また、金属ケースの一端はグランド端子に面接触しアースが充分にとれて電流の経路も安定する。一方、ＳＡＷフィルタ側の他端は開口しておりＳＡＷフィルタの廻りに空間が形成され、外力や温度に対する影響を受けることがなくなる。また、外見上ケースを見てモジュールの方向性を識別できるので、例えば基板上への組立てに間違いがなくなる。
【０００９】
尚、上記の各回路構成において、分波回路はＬＣ回路で構成され、スイッチ回路はダイオードと伝送線路を主構成とし、フィルタ回路はＳＡＷフィルタで構成され、整合回路はコンデンサ又はＬＣ回路で構成され、また分波回路のＬＣ回路及びスイッチ回路の伝送線路は、誘電体による積層体内に電極パターンにより構成することが望ましい。
【００１０】
【発明の実施の形態】
以下、本発明の一実施例を図面を参照して説明する。
図１〜図５は一実施例の高周波スイッチモジュールを示し、図１は積層体に金属ケースを装着した斜視図である。図２は側面から見た一部断面図である。図３は実施例の積層体を示す斜視図である。図４は前記積層体の裏面を示す平面図である。図５は前記積層体にチップ素子やＳＡＷフィルタを搭載した状態を示す斜視図である。図６は積層体の内部構造図の一例を示すグリーンシートの展開図である。
【００１１】
本実施例は、第１の送受信系としてＥＧＳＭ900（Extended Global System for Mobile Communications 900）方式を、第２の送受信系としてＧＳＭ1800方式を用いるもので、この２つの送受信系に信号を分波する分波回路と、各送受信系のそれぞれに送信系と受信系を切り換えるスイッチ回路と、このスイッチ回路の各受信系の特定の信号を通過させるフィルタ回路と、スイッチ回路とフィルタ回路の整合回路とを、ワンチップの積層体に集積したデュアルバンド用高周波スイッチモジュールを例にとる。この高周波スイッチモジュール１は、下記で若干説明するように分波回路、ローパスフィルタ回路及びスイッチ回路の伝送線路を積層体内に構成し、他方、ダイオード、チップコンデンサ及びＳＡＷフィルタを積層体上面に搭載して構成している。また、ＳＡＷフィルタ等の搭載部品を覆う金属ケース３を備えている。
【００１２】
先ず、積層体２の内部構造について簡単に説明する。この積層体２は低温焼成が可能なセラミック誘電体材料からなるグリーンシートを用意し、この上に通常Ａｇを主体とする導電ペーストを印刷して所望の電極パターンを形成する。尚、この電極パターンと同じものをシート上に並列に複数個形成している。このようなシートを適宜積層して熱圧着した後、チップ状に切断する。そしてこのチップを一体燒結して積層体２を得ている。
【００１３】
積層体２の内部構造は図６に示すように▲２▼から(18)（10以上の数値はカッコを付す。）までのグリーンシートを、▲２▼を最下層とし以後順に積層したものである。尚、グリーンシート▲１▼は▲２▼の裏面を示している。一番下層のグリーンシート▲２▼にはほぼ全面にグランド電極６１が形成されており、その裏面２３には複数のスルーホール６３を介して細長いグランド端子６０が左右に形成されている。他の端子は、図４に示すように長手方向側面にＧＳＭ1800系の送信ＴＸ端子５１、電圧ＶＣ１端子５２、グランド端子５３、電圧ＶＣ２端子５４、ＧＳＭ1800系の受信ＲＸ端子５５がそれぞれ設けられている。また、対向する上部にはＥＧＳＭ900系の受信ＲＸ端子５７、グランド端子５８、共通のアンテナ端子５９、グランド端子６０、ＥＧＳＭ900系の送信ＴＸ端子６１がそれぞれ形成されている。これらの端子電極は半田電極を介して基板に実装することになる。
また、グリーンシートの向かって左側端（チップ素子を搭載する側）のスルーホール６３は、その上に重なる全てのグリーンシートにも複数個のスルーホール６３（符号省略）が設けられており、最上層のグリーンシート(18)にはスルーホール６３を介して細長いグランド端子６６が形成されている。
【００１４】
次に、コンデンサ用の電極６２が複数形成されたグリーンシート▲３▼、その上にグランド電極６１が形成されたグリーンシート▲４▼が積層される。さらにその上のグリーンシート▲５▼、▲６▼、▲７▼、▲８▼、▲９▼、(10)にはそれぞれ適宜ライン電極６４、コンデンサ電極６２、スルーホール（符号省略、以下他電極の符号も省略する。）が形成されており、概略グリーンシートの上側にＥＧＳＭ900系の伝送線路やコンデンサを配置し、下側にＧＳＭ1800系の伝送線路やコンデンサを配置している。そして、グリーンシート▲４▼、▲５▼、▲６▼、▲７▼、▲８▼、▲９▼、(10)で略ローパスフィルタ回路を構成し、グリーンシート▲２▼、▲３▼、▲４▼、▲５▼、▲６▼、▲７▼、▲８▼、▲９▼、(10)でスイッチ回路を構成している。
【００１５】
次に、グリーンシート(11)から上には左側にコンデンサ電極やライン電極を、右側にＳＡＷフィルタのランド接続部が形成される。グリーンシート(11)、(12)、(13)、(14)、(15)、(16)でほぼ分波回路を構成し、グリーンシート(17)には配線パターンが形成され、最上層のグリーンシート(18)にはダイオード及びチップコンデンサ用のランド接続部およびグランド端子６６が形成されている。その外観は図３に示すようで、積層体の上面の左側にはダイオード接続用の一対のランド６７と、チップコンデンサ接続用の一対のランド６８が形成され、右側には段差部２０が設けられており、ＳＡＷフィルタ接続用のランド６５が４個づつ並列に形成されている。
【００１６】
図５は積層体２の上面にそれぞれチップ素子やＳＡＷフィルタを搭載した状況を示している。即ち、上記したそれぞれ一対のランドに対し、ダイオード４１、４２、４３、４４とチップ抵抗４５、チップコンデンサ４６、４７を半田付けし、また、段差部２０のランド上にパッケージ型ＳＡＷフィルタ４８、４９を半田付けで載置している。この積層体の外形寸法は約６．６×４．９×０．９ｍｍと極小さく、積層体上面の搭載有効面積には余裕がない。そこで、側面端子のランドは無くし、かつチップ素子間の間隙も必要最小限とし密度の高い配置とした。また、高さ方向もチップ素子との高さとバランスするようにＳＡＷフィルタは段差部２０上に設けるようになし低背化を図っている。
【００１７】
次に、これらの搭載部品を包囲する金属ケース３は、一端に幅広の略Ｔ字状の突出部３１を有し、この突出部３１は積層体上面のグランド端子６６上に当接し半田付けで固定される。また、ケースの他端側は開口３４されており、その側面側に一対の突出部３２、３３を有している。この突出部３２、３３はＳＡＷファイルタの上面に間隙ｇを確保できるだけの長さに設定されており、段差部２０に設けられたＳＡＷファイルタのグランド用のランド上に当接し半田付けで設置される。尚、開口３４は多少の壁部分が存在していても良い。これによってＳＡＷフィルタ側のケース端部は開口されているので十分な空間が形成されＳＡＷフィルタの温度特性に影響を及ぼし難く、モジュール本体の方向性も識別できる。尚、金属ケースのアースも確実にとることができ電流経路も安定する。
【００１８】
本発明の他の実施例としては、トリプルバンド高周波スイッチモジュールに対しても同様に実施することが出来る。また、ＳＡＷフィルタは必ずしもパッケージ型のものを用いる必要はなくベアチップのものを使用することも可能である。
【００１９】
【発明の効果】
本発明によれば、積層体上面に側面端子及びそのランドを設けない構成としたのでチップ素子との干渉が低減された。また、金属ケースはアース面積が大きく確実にとれるものとしたのでアースをとることが安定した。また、ケースの一端を開口したので温度による悪影響が抑制された。以上により電気的特性の良い高周波スイッチモジュールを提供することができた。
【図面の簡単な説明】
【図１】本発明に係る高周波スイッチモジュールの一実施例を示し、積層体に金属ケースを装着した斜視図である。
【図２】側面から見た一部断面図である。
【図３】図１の積層体を示す斜視図である。
【図４】積層体の裏面を示す平面図である。
【図５】積層体にチップ素子やＳＡＷフィルタを搭載した後の斜視図である。
【図６】積層体の内部構造図の一例である。
【図７】従来の高周波スイッチモジュールの一例を示す斜視図である。
【符号の説明】
１：高周波スイッチモジュール
２：積層体
３：金属ケース
２０：段差部
２１、２２：積層体の幅方向側面
２３：積層体の裏面
２４：積層体の長手方向側面
３１：金属ケースのＴ字状の突出部
３２、３３：金属ケースの対の突出部
３４：金属ケースの開口部
４１、４２、４３、４４：ダイオード
４５：チップ抵抗
４６、４７：チップコンデンサ
４８、４９：パッケージ型ＳＡＷフィルタ
５１〜６２：積層体裏面の各端子
【図１】
0004399755.tif 000002
【図２】
0004399755.tif 000003
【図３】
0004399755.tif 000004
【図４】
0004399755.tif 000005
【図５】
0004399755.tif 000006
【図６】
0004399755.tif 000007
【図７】
0004399755.tif 000008